(57)【要約】【課題】輝度斑を抑制しつつ、光の利用効率を向上させることができる照明装置及び液晶表示装置を提供する。【解決手段】反射シート１２と、少なくとも１面に第１の突条１３ａが複数形成される光学シート１４と、光学シート１４を挟んで反射シート１２と対向する位置に配置される拡散板１５と、反射シート１２と光学シート１４との間の位置であって、反射シート１２及び光学シート１４の一端部側に配置され、反射シート１２と光学シート１４との間の導光空間に対して光を射出する光源１１Ｒと、光学シート１４に対向する面に第１の突条１３ａと直交する第２の突条１４ａが複数形成され第２の突条１４ａは、光源１１Ｒからの距離が離れるにしたがって表面積が大きくなる複数の凹部１３ｂが形成されている光制御シート１３とを備えている。【選択図】図３
2010225450.tif 000002
【特許請求の範囲】
【請求項１】
一方の面が反射部材からなる反射シートと、
前記反射シートの前記一方の面と対向する位置に配置され、少なくとも１面に第１の突条が複数形成された光学シートと、
前記光学シートを挟んで前記反射シートと対向する位置に配置され、入射した光を拡散する拡散板と、
前記反射シートと前記光学シートとの間の位置であって、前記反射シート及び前記光学シートの一端部側に配置され、前記反射シートと前記光学シートとの間の導光空間に対して光を射出する光源と、
前記光学シートに対向する面に前記第１の突条と直交する第２の突条が複数形成され、前記第２の突条は、前記光源からの距離が離れるにしたがって表面積が大きくなる複数の凹部が形成されている光制御シートと、
を備えていることを特徴とする照明装置。
【請求項２】
一方の面が反射部材からなる反射シートと、
前記反射シートの前記一方の面と対向する位置に配置され、少なくとも１面に第１の突条が複数形成された光学シートと、
面状であって前記光学シートを挟んで前記反射シートと対向する位置に配置され、入射した光を拡散する拡散板と、
前記反射シートと前記光学シートとの間の位置であって、前記反射シート及び前記光学シートの一端部側に配置され、前記反射シートと前記光学シートとの間の導光空間に対して光を射出する光源と、
前記光学シートに対向する面に前記第１の突条と直交する第２の突条が複数形成され、前記第２の突条は、前記光源からの距離が離れるにしたがって隣接する互いの間隔が狭くなる複数の凹部が形成されている光制御シートと、
を備えていることを特徴とする照明装置。
【請求項３】
前記光源は、前記光制御シートを挟み対向する第１の光源と第２の光源とを含むことを特徴とする請求項１または請求項２に記載の照明装置。
【請求項４】
請求項１〜請求項３のいずれか１項に記載の照明装置と、
前記照明装置の前記拡散板に対向する位置に配置された液晶パネルと、
外部からの映像信号に基づき液晶パネルを駆動する駆動回路と、
を備えていることを特徴とする液晶表示装置。
【請求項５】
前記照明装置を複数備えていることを特徴とする請求項４に記載の液晶表示装置。
【発明の詳細な説明】
【技術分野】
【０００１】
本発明は、表示装置に設けられる照明装置及び液晶表示装置に関する。
【背景技術】
【０００２】
液晶パネルを用いた透過型の液晶表示装置は、薄型のディスプレイとして急速に普及している。液晶表示装置は、液晶パネル面に照射される照明装置からの光を、液晶パネルによって遮断または透過させることによって、画像表示を行う。
【０００３】
最近の表示装置の薄型化の要望に伴い、サイドライト型の照明装置が用いられるようになってきた。
【０００４】
特許文献１には、光源と、導光板と、下向きプリズムシートと、拡散板とを備えるサイドライト型の照明装置が開示されている。この照明装置では、導光板と、プリズムシートと、拡散板とが順に積層されている。そして、光源は、導光板の一端部側に配置されている。この照明装置では、光源からの光が導光板を導光しつつ、液晶パネル側へと照射される。しかしながら、アクリル材料等の透明樹脂からなる導光板によって光を導光させているので、軽量化が難しいといった問題があった。
【０００５】
そこで、特許文献２には、透過板と所定の間隔を開けて配置された後面反射板とを備えた照明装置が開示されている。後面反射板には、光を散乱させるためのドットパターンが形成されている。ドットパターンは、輝度斑を低減するために、光源から遠くなるにしたがって、面積が大きくなるように形成されている。
【０００６】
特許文献２の照明装置では、光源から射出された光が、透過板と後面反射板との間を導光しつつ、外部に照射される。このように、特許文献２の技術では、導光板を省略することによって、軽量化を実現することができた。
【先行技術文献】
【特許文献】
【０００７】
【特許文献１】特開２００５−１４２０７８号公報
【特許文献２】特開平１１−２１８７５４号公報
【発明の概要】
【発明が解決しようとする課題】
【０００８】
しかしながら、特許文献２の技術では、反射板にドットパターンを形成しているため、反射板に吸収される光が多く、光の利用効率が小さいといった課題がある。
【０００９】
本発明は、上述した課題を解決するために創案されたものであり、輝度斑を抑制しつつ、光の利用効率を向上させることができる照明装置及び液晶表示装置を提供することを目的としている。
【課題を解決するための手段】
【００１０】
上記目的を達成するために、請求項１に記載の発明は、一方の面が反射部材からなる反射シートと、前記反射シートの前記一方の面と対向する位置に配置され、少なくとも１面に第１の突条が複数形成された光学シートと、前記光学シートを挟んで前記反射シートと対向する位置に配置され、入射した光を拡散する拡散板と、前記反射シートと前記光学シートとの間の位置であって、前記反射シート及び前記光学シートの一端部側に配置され、前記反射シートと前記光学シートとの間の導光空間に対して光を射出する光源と、前記光学シートに対向する面に前記第１の突条と直交する第２の突条が複数形成され、前記第２の突条は、前記光源からの距離が離れるにしたがって表面積が大きくなる複数の凹部が形成されている光制御シートとを備えていることを特徴とする。
【００１１】
また、請求項２に記載の発明は、一方の面が反射部材からなる反射シートと、前記反射シートの前記一方の面と対向する位置に配置され、少なくとも１面に第１の突条が複数形成された光学シートと、面状であって前記光学シートを挟んで前記反射シートと対向する位置に配置され、入射した光を拡散する拡散板と、前記反射シートと前記光学シートとの間の位置であって、前記反射シート及び前記光学シートの一端部側に配置され、前記反射シートと前記光学シートとの間の導光空間に対して光を射出する光源と、前記光学シートに対向する面に前記第１の突条と直交する第２の突条が複数形成され、前記第２の突条は、前記光源からの距離が離れるにしたがって隣接する互いの間隔が狭くなる複数の凹部が形成されている光制御シートとを備えていることを特徴とする。
【００１２】
また、請求項３に記載の発明は、請求項１または請求項２に記載の発明において、前記光制御シートを挟み対向する第１の光源と第２の光源とを含むことを特徴とする。
【００１３】
また、請求項４に記載の発明は、請求項１〜請求項３のいずれか１項に記載の照明装置と、前記照明装置の前記拡散板に対向する位置に配置された液晶パネルと、外部からの映像信号に基づき液晶パネルを駆動する駆動回路とを備えていることを特徴とする。
【００１４】
また、請求項５に記載の発明は、請求項４に記載の発明において、前記照明装置を複数備えていることを特徴とする。
【発明の効果】
【００１５】
本発明によれば、輝度斑を抑制しつつ、光の吸収を抑制して光の利用効率を向上させることができる。
【図面の簡単な説明】
【００１６】
【図１】第１実施形態による液晶表示装置の全体図である。
【図２】第１実施形態による照明装置の断面図である。
【図３】光制御プリズムシートの平面図である。
【図４】光制御プリズムシートの＋Ｘ側の端面図である。
【図５】光制御プリズムシートの部分的に拡大した断面図である。
【図６】液晶表示装置の制御部を説明するブロック図である。
【図７】第１実施形態による照明装置の輝度と光源からの距離との関係を示すグラフである。
【図８】凹部が形成されていない光制御プリズムシートを備えた従来の照明装置の輝度と光源からの距離との関係を示すグラフである。
【図９】第２実施形態による照明装置の断面図である。
【図１０】光制御プリズムシートの平面図である。
【図１１】第３実施形態による光制御プリズムシートの平面図である。
【図１２】第４実施形態による液晶表示装置の全体図である。
【図１３】第４実施形態による照明装置の断面図である。
【発明を実施するための形態】
【００１７】
（第１実施形態）
以下、図面を参照して、本発明による第１実施形態を説明する。以下の説明において、図１に矢印で示すＸＹＺをＸＹＺ方向とする。尚、＋Ｚ方向を光の射出方向である前方とし、−Ｚ方向を後方とする。また、＋Ｘ方向を光の導光方向とする。
【００１８】
図１に示すように、第１実施形態による液晶表示装置１は、筐体２と、液晶パネル３と、照明装置４と、制御部５（図６参照）とを備えている。
【００１９】
筐体２は、液晶パネル３と、照明装置４と、制御部５とを収納するものである。
【００２０】
液晶パネル３は、制御部５からの画像信号により画像を形成するものである。液晶パネル３は、偏光板、液晶部等を有する。液晶パネル３は、照明装置４よりも前方に配置されている。
【００２１】
照明装置４は、画像を形成するための光を液晶パネル３に供給するものである。照明装置４は、図２〜図５に示すように、３個の光源１１Ｒ、１１Ｇ、１１Ｂと、反射シート１２と、光制御プリズムシート（光制御シート）１３と、後向きプリズムシート（光学シート）１４と、拡散板１５とを備えている。
【００２２】
光源１１Ｒ、１１Ｇ、１１Ｂは、それぞれ赤色、緑色、青色の光を供給するものである。光源１１Ｒ、１１Ｇ、１１Ｂは、照明装置４の一端部（−Ｘ側端部）側に、互いに間隔を開けて配置されている。光源１１Ｒ、１１Ｇ、１１Ｂは、反射シート１２と光制御プリズムシート１３との間に形成される導光空間１６の−Ｘ方向の延長線上に配置されている。光源１１Ｒ、１１Ｇ、１１Ｂは、それぞれ赤色、緑色、青色の光を発光可能なＬＥＤ（発光ダイオード）を適用することができる。尚、以下の説明において、特に必要がない場合は、光源１１Ｒ、１１Ｇ、１１Ｂの符号を「１１」とする。
【００２３】
反射シート１２は、光源１１からの光のうち、後方に進行する光を前方（射出方向）へ反射するものである。反射シート１２は、平面視にて、四角形の面状に形成されている。反射シート１２は、光源１１よりも後方（射出方向における反対側）に配置されている。反射シート１２は、略全面で光を反射可能に構成されている。
【００２４】
光制御プリズムシート１３は、光源１１からの光を遠方へと導光させるものである。光制御プリズムシート１３は、光を透過可能なアクリル（ＰＭＭＡ）、ポリカーボネート（ＰＣ）、またはポリスチレン（ＰＳ）等の材料により構成されている。光制御プリズムシート１３は、光源１１よりも前方（射出側）に配置されている。光制御プリズムシート１３は、反射シート１２と一定の空間を開けて平行に且つ対向するように配置されている。これにより、光制御プリズムシート１３と反射シート１２との間には、光源１１からの光を導光するための導光空間１６が形成される。図３に示すように、光制御プリズムシート１３は、平面視にて、四角形の面状に形成されている。光制御プリズムシート１３は、反射シート１２と略同じ形状に構成されている。
【００２５】
光制御プリズムシート１３の前側の主面には、複数の突条１３ａからなるプリズムパターンが形成されている。突条１３ａは、光制御プリズムシート１３のＸ方向（導光方向）の全長にわたって、延びるように形成されている。突条１３ａは、三角柱状（山形状）に形成されている。複数の突条１３ａは、等間隔で配置されている。尚、図３に示す点線は、突条１３ａの稜線を示す。
【００２６】
図２〜図５に示すように、光制御プリズムシート１３の前側の主面には、複数の凹部１３ｂｎ（ｎ＝１、２・・１１）が後工程により形成されている。凹部１３ｂｎは、Ｘ方向の中心線Ｃよりも＋Ｘ側に形成されている。凹部１３ｂｎは、半球状に形成されている。ここで各凹部１３ｂｎの直径は、＋Ｘ側にいくに連れて大きくなるように形成されている。従って、図３に示すように、凹部１３ｂｎの開口面積は、＋Ｘ側にいくに連れて大きくなる。また、図２に示すように、凹部１３ｂｎの深さは、＋Ｘ側にいくに連れて深くなる。これにより、凹部１３ｂｎの表面積は、光源１１から離れるに連れて大きくなるように構成される。
【００２７】
後向きプリズムシート１４は、光の進行方向をＸＹ方向から前方へと曲げるものである。後向きプリズムシート１４は、光を透過可能なアクリル（ＰＭＭＡ）、ポリカーボネート（ＰＣ）、またはポリスチレン（ＰＳ）等の材料により構成されている。後向きプリズムシート１４は、平面視にて、反射シート１２と略同じ四角形状に形成されている。後向きプリズムシート１４は、光制御プリズムシート１３の前方に且つ平行に配置されている。
【００２８】
後向きプリズムシート１４の後面には、光制御プリズムシート１３の突条１３ａと同じ形状の突条１４ａが形成されている。突条１４ａは、Ｙ方向に延びるように形成されている。即ち、後向きプリズムシート１４の突条１４ａは、光制御プリズムシート１３の突条１３ａと直交するように構成されている。
【００２９】
拡散板１５は、後向きプリズムシート１４から進行する光を拡散するものである。拡散板１５は、拡散材料を含有したアクリル（ＰＭＭＡ）、ポリカーボネート（ＰＣ）、またはポリスチレン（ＰＳ）等の乳白色の材料により構成されている。拡散板１５は、平面視にて、反射シート１２及び後向きプリズムシート１４と略同じ四角形状に形成されている。拡散板１５は、後向きプリズムシート１４よりも前方に且つ平行に配置されている。
【００３０】
次に、図６を参照して、液晶表示装置１の制御部５について説明する。図６は、液晶表示装置１の制御部を説明するブロック図である。
【００３１】
図６に示すように、液晶表示装置１の制御部５は、電源供給回路２１と、映像信号処理回路２２と、液晶駆動回路２３と、光源駆動回路２４とを備えている。
【００３２】
電源供給回路２１は、映像信号処理回路２２、液晶駆動回路２３、光源駆動回路２４等に電力を供給するものである。
【００３３】
映像信号処理回路２２は、チューナまたは外部からの映像信号が入力される。映像信号処理回路２２は、画像表示に適した画像データとしてＲ信号、Ｇ信号、Ｂ信号を生成する信号処理を行う。
【００３４】
液晶駆動回路２３は、ソースドライバ、ゲートドライバ、タイミングコントローラ（図示略）を備えている。ソースドライバは、タイミングコントローラの制御により、液晶の所定の画素を駆動するタイミングで、映像信号処理回路２３が出力したＲ信号、Ｇ信号、Ｂ信号に基づいて、画素の液晶に所定の電圧を印加する。ゲートドライバは、各ゲート線に走査信号電圧を順次印加して、１ラインずつ駆動する。
【００３５】
光源駆動回路２４は、照明装置４の光源１１を制御するものである。光源駆動回路２４は、電源供給回路２１から供給された電力を光源１１に適した電圧に変換して出力する。
【００３６】
次に、上述した第１実施形態による液晶表示装置１の動作を説明する。
【００３７】
まず、電源供給回路２１から各回路２２〜２４に電力が供給される。光源駆動回路２４は、電力が供給されると、所定の電圧に変換して、照明装置４の光源１１に供給する。
【００３８】
照明装置４では、電力が供給されると、光源１１が各色の光を発光する。光源１１から発光された光は拡散光であり、そのうち後方に進む光は反射シート１２によって反射される。これにより、光は、反射シート１２と光制御プリズムシート１３との間の導光空間１６を導光する。
【００３９】
また、光源１１から発光された光のうち前方に拡散する光は、導光空間１６を導光するに連れて、徐々に光制御プリズムシート１３に入射して光制御プリズムシート１３の内部を導光する。光制御プリズムシート１３を導光する光の一部すなわち突条１３ａに達した光は、突条１３ａを透過して後向きプリズムシート１４に入射する。一方、光制御プリズムシート１３を導光する多くの光は、中央線Ｃを越えて＋Ｘ方向に導光する。
【００４０】
図５の矢印に示すように、中央線Ｃを越えた光が凹部１３ｂｎのいずれかに達すると、凹部１３ｂｎで屈折され外部へ射出される。外部に射出された光は、突条１４ａにより屈折されて、後向きプリズムシート１４に入射する。ここで、凹部１３ｂｎの表面積は、光源１１から離れるに連れて、大きくなるように構成されている。これにより、光源１１から離れるに連れて、光制御プリズムシート１３の内部を導光する光は減少するが、光の取出効率が向上するので、取り出される光が、面方向で均一化される。
【００４１】
次に、後向きプリズムシート１４に入射した光は、突条１４ａによって屈折される際に面方向から前方へと進行方向を変えられる。そして、前方へ進行する光は、後向きプリズムシート１４の前面から射出して、拡散板１５に入射する。その後、光は、拡散板１５によって拡散されて、面内における輝度が均一化される。次に、光は、拡散板１５から射出された後、液晶パネル３に入射する。
【００４２】
液晶パネル３では、外部からの映像信号に基づき液晶駆動回路２３によって、各画素の液晶が制御されている。これにより、照明装置４から液晶パネル３に入射した光が光変調され、その一部が透過して、画像が形成される。
【００４３】
上述したように、第１実施形態による液晶表示装置１の照明装置４では、光制御プリズムシート１３に凹部１３ｂｎが形成されている。そして、凹部１３ｂｎは、光源１１から離れるに連れて、表面積が大きくなるように構成されている。これにより、光源１１から遠方の領域では、光制御プリズムシート１３からの光の射出を向上できるので、遠方の領域での輝度を向上させることができる。この結果、照明装置４の面方向の輝度斑を低減して、輝度の均一性を向上させることができる。そして、輝度の均一性を光制御プリズムシート１３の凹部１３ｂｎによって向上させているので、光の吸収を抑制して、光の利用効率を向上させることができる。この結果、全体の輝度を向上させつつ、輝度斑を抑制することができる。
【００４４】
具体的な輝度斑の低減について、図７及び図８を参照して説明する。図７は、第１実施形態による照明装置の輝度と光源からの距離との関係を示すグラフである。図８は、凹部が形成されていない光制御プリズムシートを備えた従来の照明装置の輝度と光源からの距離との関係を示すグラフである。尚、図６及び図７に示す横軸は、光源との距離を示すが、−Ｌ／２の位置に反射シート１２の−Ｘ側の端部が配置されるとともに、＋Ｌ／２の位置に反射シート１２の＋Ｘ側の端部が配置されるものとする。また、輝度は、拡散板のない状態を想定している。
【００４５】
図７に示すように、第１実施形態による照明装置４では、輝度のピークが略中央に位置することがわかる。これにより、第１実施形態による照明装置４では、拡散板１５を設けることと、隣接する照明装置４からの漏れ光との合成によって、輝度斑を低減できることがわかる。一方、図８に示すように、従来の照明装置では、輝度のピークが、光源側に偏っていることがわかる。この結果、拡散板によって光を拡散しても、光源側の輝度が強く、輝度斑が生じることがわかる。
【００４６】
また、照明装置４では、光制御プリズムシート１３に凹部１３ｂｎを形成することによって、軽量化を実現することができる。
【００４７】
（第２実施形態）
次に、上述した第１実施形態の照明装置を部分的に変更した第２実施形態による照明装置について説明する。尚、上述した実施形態と同じ構成には、同じ符号を付けて説明を省略する。
【００４８】
図９及び図１０に示すように第２実施形態による照明装置４Ａは、光制御プリズムシート１３Ａの構成が第１実施形態とは異なる。第２実施形態の光制御プリズムシート１３Ａでは、凹部１３ｂと隣接する凹部１３ｂとの間隔が光源１１から離れるに連れて狭くなるように配置されている。全ての凹部１３ｂの直径及び深さは、同じ直径及び深さに構成している。
【００４９】
上述したように、第２実施形態による照明装置４Ａでは、凹部１３ｂの間隔を光源１１から離れるに連れて、狭くしているので、光源１１から離れるに連れて、単位面積当たりの凹部１３ｂの表面積を大きくすることができる。これにより、光源１１から離れるに連れて、光の取出効率を向上させることができるので、輝度斑を抑制することができる。
【００５０】
（第３実施形態）
次に、上述した第１実施形態の照明装置を部分的に変更した第３実施形態による照明装置について説明する。尚、上述した実施形態と同じ構成には、同じ符号を付けて説明を省略する。
【００５１】
図１１に示すように、第３実施形態では、光源１１が、光制御プリズムシート１３Ｂの両端部に配置されている。また、光制御プリズムシート１３Ｂの凹部１３ｂｎが、Ｘ方向の全長にわたって形成されている。凹部１３ｂｎは、中央線Ｃの近傍に近づくに連れて直径及び深さが大きくなるように構成されている。即ち、凹部１３ｂｎは、中央線Ｃの近傍に近づくに連れて表面積が大きくなるように構成されている。
【００５２】
上述したように第３実施形態においても、光制御プリズムシート１３Ｂの凹部１３ｂｎの表面積を光源１１から離れるに連れて大きくしているので、第１実施形態と同様の効果を奏することができる。
【００５３】
（第４実施形態）
次に、上述した第１実施形態または第２実施形態の照明装置を用いた液晶表示装置の別の実施形態について説明する。尚、上述した実施形態と同じ構成には、同じ符号を付けて説明を省略する。
【００５４】
図１２に示すように、第４実施形態による液晶表示装置１Ａは、照明装置４ＣがＸ方向及びＹ方向にそれぞれ４個ずつ配列されている。即ち、１６個の照明装置が、液晶表示装置１Ａには設けられている。
【００５５】
更に、図１３に示すように、第４実施形態による液晶表示装置１Ａは、タンデム方式である。
【００５６】
照明装置４Ｃの反射シート１２Ｃは、光源１１と隣接するブロックの光源１１との間に配置されている。反射シート１２Ｃは、光制御プリズムシート１３に対して傾斜するように配置されている。具体的には、光源１１とは反対側の反射シート１２Ｃの端部が、光源１１側の端部よりも後向きプリズムシート１４に近づくように傾斜している。また、光源１１とは反対側の反射シート１２Ｃの端部は、隣接する光源１１の前方を覆うように配置されている。これにより、各照明装置４Ｃの光源１１から射出された光は、＋Ｘ方向へと導光する。
【００５７】
第４実施形態による照明装置４Ｃでは、隣接する光制御プリズムシート１３と光制御プリズムシート１３とが連続して形成されている。また、隣接する後向きプリズムシート１４と後向きプリズムシート１４とが連続している。同様に、隣接する拡散板１５と拡散板１５とが連続している。
【００５８】
照明装置４Ｃにおいても、第１実施形態と同様に、光制御プリズムシート１３凹部１３ｂｎが、光源１１から離れるに連れて、表面積が大きくなるように構成しているので、第４実施形態においても、第１実施形態と同様の効果を奏することができる。
【００５９】
また、液晶表示装置１Ａは、複数の照明装置４Ｃを備えていため、個々の照明装置４Ｃを別々に制御することができるので、省電力化を実現できる。
【００６０】
また、照明装置４Ｃでは、隣接する光制御プリズムシート１３を連続させることによって、部品点数を低減することができる。また、隣接する後向きプリズムシート１４を連続させることによって、部品点数を低減することができる。同様に、隣接する拡散板１５を連続させることによって、部品点数を低減することができる。
【００６１】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。以下、上記実施形態を一部変更した変更形態について説明する。
【００６２】
例えば、上述した実施形態では、液晶表示装置に本発明の照明装置を適用したが、他の透過型の表示装置に本発明による照明装置を適用してもよい。
【００６３】
また、各実施形態で適用した数値、形状、材料等は、適宜変更可能である。
【００６４】
また、上述した第１実施形態〜第３実施形態においても、第４実施形態と同様に、隣接する後向きプリズムシート及び拡散板を連続させてもよい。
【００６５】
また、各実施形態を組み合わせてもよい。例えば、光源から離れるに連れて、第１実施形態のように凹部の大きさを大きくしつつ、第２実施形態のように凹部の間隔を小さくしてもよい。
【００６６】
また、上述した実施形態では、半球状の凹部を例としてあげたが、三角柱状の凹部等、凹部の形状は適宜変更可能である。
【００６７】
また、上述した第２実施形態では、中心線Ｃよりも＋Ｘ側に凹部を形成したが、光制御プリズムの−Ｘ側の端部近傍から全長にわたって凹部を形成してもよい。
【００６８】
また、上述した実施形態では、光源１１としてそれぞれ赤色、緑色、青色の光を発光可能なＬＥＤとして説明したが、白色光を発光可能なＬＥＤとしてもよい。
【００６９】
さらに、光源１１として冷陰極管（ＣＣＦＬ）を用いてもよい。
【００７０】
また、上述した実施形態では、光源を−Ｘ方向に設置し＋Ｘ方向を光の導光方向とした場合について説明したが、＋Ｘ方向に設置し−Ｘ方向を光の導光方向としてもよい。
【００７１】
また、上述した実施形態では、光源を−Ｘ方向に設置し＋Ｘ方向を光の導光方向とした場合を例に示したが、光源を−Ｙ方向または＋Ｙ方向に設置し＋Ｙ方向または、−Ｙ方向を光の導光方向としてもよい。
【００７２】
また、上述した実施形態では、後向きプリズムシートの突条が光制御プリズムシート側に形成した場合を例に示したが、後向きプリズムシートの突条を拡散板側に形成してもよいし、光制御プリズムシート側及び拡散板側の両面に形成してもよい。
【符号の説明】
【００７３】
１、１Ａ      液晶表示装置
２     筐体
３     液晶パネル
４、４Ａ、４Ｂ、４Ｃ 照明装置
５     制御部
１１、１１Ｒ、１１Ｇ、１１Ｂ             光源
１２、１２Ｃ  反射シート
１３、１３Ａ、１３Ｂ 光制御プリズムシート
１３ａ 突条
１３ｂ、１３ｂｎ      凹部
１４   後向きプリズムシート
１４ａ 突条
１５   拡散板
１６   導光空間
２１   電源供給回路
２２   各回路
２２   映像信号処理回路
２３   映像信号処理回路
２３   液晶駆動回路
２４   光源駆動回路
【図１】
2010225450.tif 000003
【図２】
2010225450.tif 000004
【図３】
2010225450.tif 000005
【図４】
2010225450.tif 000006
【図５】
2010225450.tif 000007
【図６】
2010225450.tif 000008
【図７】
2010225450.tif 000009
【図８】
2010225450.tif 000010
【図９】
2010225450.tif 000011
【図１０】
2010225450.tif 000012
【図１１】
2010225450.tif 000013
【図１２】
2010225450.tif 000014
【図１３】
2010225450.tif 000015